(57)【要約】      （修正有）【課題】累積点灯時間を零時間にリセット操作をする際の利用者の手間を軽減したリセット手段が設けられた初期照度補正機能付きの照明装置を提供する。【解決手段】累積点灯時間が増加しても照明装置の照度が一定となるように、光源への供給電力を漸増させる初期照度補正手段２５０と、該累積点灯時間を零に戻すリセット手段２６０とからなる点灯制御手段２４０とを備えた照明装置１０において、リセット手段２６０は、少なくとも２つのスイッチ切替モード状態を備えたリセットスイッチ２７０と、該リセットスイッチ２７０のスイッチ切替モード状態を検出する切替モード状態検出手段２６１と、該検知されたスイッチ切替モード状態を記憶する切替モード状態記憶手段２５１とを備え、前記切替モード状態記憶手段２５１に記憶されていたスイッチ切替モード状態と、新たに検出されたスイッチ切替モード状態が異なっているときに累積点灯時間がリセットされる。【選択図】図４
2014160582.tif 000002
【特許請求の範囲】
【請求項１】
累積点灯時間が増加しても照明装置の照度が一定となるように、光源への供給電力を漸増させる初期照度補正手段と、前記累積点灯時間を零に戻すリセット手段とからなる点灯制御手段と、を備えた照明装置において、
前記リセット手段は、少なくとも２つのスイッチ切り替えモード状態を備えたリセットスイッチと、前記リセットスイッチの切り替えモード状態を検出する切り替えモード状態検出手段と、該検知された切り替えモード状態を記憶する切り替えモード状態記憶手段とを備え、
前記切り替えモード状態記憶手段に記憶されていた切り替えモード状態と、新たに検出された切り替えモード状態が異なっているときに、前記累積点灯時間がリセットされることを特徴とした照明装置。
【請求項２】
前記リセットスイッチが操作されてから、所定時間の遅延後に前記累積点灯時間がリセットされるリセット手段が備えられていることを特徴とした請求項１に記載の照明装置。
【請求項３】
前記照明装置の電源がオフの状態で前記リセットスイッチが操作され、前記照明装置の電源がオンされてから、前記累積点灯時間がリセットされるリセット手段が備えられていることを特徴とした請求項１または２に記載の照明装置。
【請求項４】
前記リセットスイッチは、外部操作で接点位置を変更するリセットボタンを備えており、
前記切り替えモード状態は、前記リセットボタンの接点位置であることを特徴とした請求項１から３のいずれかに記載の照明装置。
【請求項５】
前記照明装置の電源がオンの状態で前記リセットスイッチが操作され、所定の短期間で所定の往復回数に対応して、初期照度補正の補正条件が設定されることを特徴とした請求項１から４のいずれかに記載の照明装置。
【請求項６】
前記照明装置は、光源を備えたランプと、該ランプが装着される照明器具とからなり、
前記リセットスイッチは、前記照明器具に設置されていることを特徴とした請求項１から５のいずれかに記載の照明装置。
【請求項７】
前記リセットスイッチは、前記ランプを取外すことによって、前記リセットボタンが操作できる位置に設置されていることを特徴とした請求項６に記載の照明装置。
【請求項８】
前記累積点灯時間のリセットが完了したときに、前記光源が所定の短時間で所定の回数の点灯と消灯を繰り返すことを特徴とした請求項１から７に記載の照明器具。
【請求項９】
前記照明装置の光源は、発光ダイオードであることを特徴とした請求項１から８のいずれかに記載の照明装置。
【発明の詳細な説明】
【技術分野】
【０００１】
本発明は、累積点灯時間に応じて光源の点灯出力を制御する初期照度補正機能を備えた照明装置に関し、特に累積点灯時間のリセット手段に関する。
【背景技術】
【０００２】
従来から、点灯時間とともに蛍光灯が劣化して暗くなることを防止するため、累積点灯時間とともに蛍光灯に供給する電力を徐々に増加して、蛍光灯の明るさを一定に保つ初期照度補正機能を備えた蛍光灯点灯装置が知られている。更に、新品の蛍光灯に交換した際に、蛍光灯に供給する電力量を初期値に戻すためのリセット手段が備えられた蛍光灯点灯装置が知られている（例えば特許文献１参照）。
【０００３】
特許文献１には、器具本体の表面に、両端に５Ｖの電圧が印加された専用のリセットスイッチが設けられ、該リセットスイッチがオンになると印加電圧が引き下げられて累積点灯時間がリセットされる照明器具が開示されている。
【先行技術文献】
【特許文献】
【０００４】
【特許文献１】特許３８７３５７７号公報
【発明の概要】
【発明が解決しようとする課題】
【０００５】
しかしながら、特許文献１では、連続調光モードや段調光モード等へのモード切り替え維持のためリセットスイッチに電圧を印加しておかなければならないために、リセットスイッチをオンにするときには照明器具の電源もオンにしておく必要がある。一方、蛍光灯を取り替える際には、照明器具の電源をオフにしておく必要があるのと、また電源のオン、オフは通常壁スイッチによるため、特に天井に照明器具が取り付けられている場合、以下に記載したように手間のかかるリセット方法となっている。
壁スイッチで照明装置の電源をオフにする。
踏み台に登る。
照明器具から蛍光灯を取外す。
踏み台から降りる。
新品の蛍光灯を持って踏み台に昇る。
照明器具に蛍光灯を取り付ける。
踏み台から降りる。
壁スイッチまで移動して照明装置の電源をオンにする。
踏み台に昇る。
リセットスイッチをオンする。
踏み台から降りる。
照明装置の電源をオンする。
特許文献１では、このような利用者の手間を減らすための手法に関しては何ら言及していない。
【０００６】
本発明は、上述の課題を解決するため鋭意検討した結果なされたものであり、累積点灯時間を零時間にリセット操作をする際の利用者の手間を軽減したリセット手段が設置された初期照度補正機能付きの照明装置を提供するものである。
【課題を解決するための手段】
【０００７】
請求項１に記載の発明にあたっては、累積点灯時間が増加しても照明装置の照度が一定となるように、光源への供給電力を漸増させる初期照度補正手段と、前記累積点灯時間を零に戻すリセット手段とからなる点灯制御手段と、を備えた照明装置において、前記リセット手段は、少なくとも２つのスイッチ切り替えモード状態を備えたリセットスイッチと、前記リセットスイッチのスイッチ切り替えモード状態を検出する切り替えモード状態検出手段と、該検知されたスイッチ切り替えモード状態を記憶する切り替えモード状態記憶手段とを備え、前記切り替えモード状態記憶手段に記憶されていた切り替えモード状態と、新たに検出された切り替えモード状態が異なっているときに、前記累積点灯時間がリセットされることを特徴とするものである。
【０００８】
請求項２に記載の発明にあたっては、前記リセットスイッチが操作されてから、所定時間の遅延後に前記累積点灯時間がリセットされるリセット手段が備えられていることを特徴とするものである。
【０００９】
請求項３に記載の発明にあたっては、前記照明装置の電源がオフの状態で前記リセットスイッチが操作され、前記照明装置の電源がオンされたときに、前記累積点灯時間がリセットされるリセット手段が備えられていることを特徴とするものである。
【００１０】
請求項４に記載の発明にあたっては、前記リセットスイッチは、外部操作で接点位置を変更するリセットボタンを備えており、前記スイッチ切り替えモード状態は、前記リセットボタンの接点位置であることを特徴とするものである。
【００１１】
請求項５に記載の発明にあたっては、前記照明装置の電源がオンの状態で前記リセットスイッチが操作され、所定の短期間で所定の往復回数に対応して、初期照度補正の補正条件が設定されることを特徴とするものである。
【００１２】
請求項６に記載の発明にあたっては、前記照明装置は、光源を備えたランプと、該ランプが装着される照明器具とからなり、前記リセットスイッチは、前記照明器具に設置されていることを特徴とするものである。
【００１３】
請求項７に記載の発明にあたっては、前記リセットスイッチは、前記ランプを取外すことによって、前記リセットボタンが操作できる位置に設置されていることを特徴とするものである。
【００１４】
請求項８に記載の発明にあたっては、前記累積点灯時間のリセットが完了したときに、前記光源が所定の短時間で所定の回数の点灯と消灯を繰り返すことを特徴とするものである。
【００１５】
請求項９に記載の発明にあたっては、前記照明装置の光源は、発光ダイオードであることを特徴とするものである。
【発明の効果】
【００１６】
請求項１から４の発明によれば、照明装置の電源をオフにした状態でも、累積点灯時間のリセット手段の操作が有効に働き、照明装置の電源をオンにしたときに自動的に累積点灯時間がリセットされる照明装置を提供することができる。
【００１７】
請求項５の発明によれば、光源の性能が改善され寿命が延びたときにも適切に対応した初期照度補正が行われる照明装置を提供することができる。
【００１８】
請求項６の発明によれば、ランプを交換するときにリセットスイッチが操作されるので、日常誤ってリセットされてしまう虞が小さくなる。
【００１９】
請求項７の発明によれば、ランプを取外さないとリセットボタンを押せないので、誤ってリセットスイッチが押される虞がない。
【００２０】
請求項８の発明によれば、リセットスイッチの押し忘れを防止することができる。
【００２１】
請求項９の発明によれば、更に長寿命の照明装置を提供することができる。
【図面の簡単な説明】
【００２２】
【図１】本実施形態の照明装置の外観図
【図２】本実施形態の直管形ランプの断面図
【図３】本実施形態の照明装置のブロック図
【図４】本実施形態の点灯制御手段のブロック図
【図５】本実施形態のリセットスイッチの概念図
【図６】本実施形態でのリセットされるときのフローチャート
【図７】本実施形態でのリセットされないときのフローチャート
【図８】本実施形態の点灯制御手段の他の例
【図９】本実施形態の点灯制御手段の他の例
【図１０】本実施形態のリセットスイッチの他の例
【発明を実施するための形態】
【００２３】
以下に本発明の好適な実施の形態について、図面を参照しながら説明する。なお本実施形態は一例でありこれに限定されるものではない。
【００２４】
まず、本実施形態の構成について説明する。
本実施形態の照明装置１０は、図１に示すように光源としてＬＥＤを使用した直管形ランプ１００と、該直管形ランプ１００が装着される照明器具２００とから構成されている。なお本実施形態のランプは１本の直管形ランプを用いているが、特にこれに限定するものではない。例えば、外観が環形状やＵ字形状でもよく、更に複数本のランプを並列接続させた構成にしてもよい。また、従来の口金からの給電ではなく、口金等の保持部とは異なる位置にコネクタを設け、コネクタで給電、受電を行うランプを使用してもよい。
【００２５】
直管形ランプ１００の外郭は、図１、図２に示すように断面が半円形で中空筒状のアルミニウムからなる支持基材１１０と、該支持基材１１０を覆う断面が半円形の透光性カバー１２０と、両端に設置される口金１３０、１４０とからなる。
支持基材１１０の平坦面１１１には、図２に示すようにＬＥＤ素子１が実装されたＬＥＤ基板１５０が載置されている。
【００２６】
透光性カバー１２０は、光拡散材を含有したポリカーボネート樹脂を用いて断面が半円形の樋状に形成されている。なお、ポリカーボネート樹脂の代わりに、アクリル樹脂や、その他の公知な透明な樹脂を使用することができる。
【００２７】
口金１３０は、一対の口金端子１３１と１３２とを備えており、後述のソケット２１０に装着され、定電流電源から電力が供給される。口金端子１３１と１３２の一端側はＬＥＤ基板１５０に電気的に接続されている。
口金１４０は、一対の口金端子１４１と１４２とを備えており、ソケット２２０に装着される。
【００２８】
ＬＥＤ基板１５０は、長尺のガラスエポキシ基板からなるプリント基板で、一方の面に複数のＬＥＤ素子１が直列に実装されている。ＬＥＤ素子１として、昼光色の高輝度ＬＥＤ素子を使用したが、電球色の高輝度ＬＥＤ素子の使用や、昼光色と電球色の両方のＬＥＤ素子を使用し、調色できるように実装してもよい。またＬＥＤ基板として、銅貼ガラスエポキシ基板や、銅貼ガラスコンポジット基板や、セラミックス基板や、金属基板等のプリント基板を用いてもよい。
前述の通り、ＬＥＤ基板１５０は口金端子１３１、１３２と電気的に接続されており、該口金１３０がソケット２１０に装着されることによって、ＬＥＤ素子１に直流電力が供給される。
【００２９】
照明器具２００には、口金１３０が装着されるソケット２１０と、口金１４０が装着されるソケット２２０とが設置され、また商用交流電源を直流電源に変換しＬＥＤ素子を点灯させる定電流電源２３０と、点灯制御手段２４０とが備えられている。なお定電流電源２３０と、点灯制御手段２４０とは、同一のプリント基板上に実装されており、同一の筐体に収納されている。
定電流電源２３０は、図３に示すように電子部品の保護回路２３１、ノイズフィルター２３２、整流回路２３３、力率改善回路２３４、ＬＥＤ駆動回路２３５とからなる各種回路から構成されている。
ＬＥＤ駆動回路２３５は、点灯制御手段２４０から送信される制御信号でオン、オフ制御されるスイッチング素子を備えており、所望の点灯出力をＬＥＤ基板１５０に供給する。
【００３０】
点灯制御手段２４０は、図４に示すように初期照度補正手段２５０と、リセット手段２６０とからなる。
初期照度補正手段２５０は、累積点灯時間を記憶する不揮発性メモリ２５１と、該累積点灯時間を点灯出力値に変換しＬＥＤ駆動回路２３５に点灯出力値を送信するマイコン２５２とから構成されている。本実施形態では不揮発性メモリを内蔵したマイコンを使用したが、別体の不揮発性メモリを取り付けてもよい。
前記累積点灯時間は、前記制御信号が点灯制御手段２４０からＬＥＤ駆動回路２３５へ送信されている間の時間が点灯時間として計測され、随時それまでの点灯時間に加えられながら不揮発性メモリ２５１に記憶される。
本実施形態では、初期点灯出力値を定格出力の８５％とし、４万時間に渡って該点灯出力値が線形的に漸増し、４万時間後に１００％となり、４万時間以降は１００％を維持するように設定された初期照度補正情報を不揮発性メモリ２５１に記憶させ、この情報を基にマイコン２５２から点灯出力値がＬＥＤ駆動回路２３５に送信され、４万時間に渡って明るさが一定となるように点灯される。なお使用されるＬＥＤ素子の性能や使用環境に応じて、初期の調光度や漸増のカーブ形状が随時設定可能である。
【００３１】
この初期照度補正における初期条件の設定は、複数の初期調光度、カーブ形状を不揮発性メモリ２５１に記憶させておき、後述のリセットスイッチ２７０を所定の短時間で、所定の回数往復操作することで設定することができる。
例えば、照明装置１０の電源をオフにして直管形ランプ１００を取り外した後に、再度電源をオンにし、５秒間で1往復したときに初期照度出力値を７５％に設定、２往復したときに８５％に設定、３往復したときに９５％に設定することができるようにする。これによって、ＬＥＤ素子の性能が改善され寿命が延びたときにも適切に対応した初期照度補正を行うことができる。
【００３２】
リセット手段２６０は、前記マイコン２５２と、リセットスイッチ２７０とからなる。
リセットスイッチ２７０はスライド式のリセットボタン２７１が設けられたスライドスイッチであり、図１に示したように直管形ランプ１００で隠れる位置に配置されている。直管形ランプ１００を取外したときに、外部操作によって（指で）、図５に示すようにリセットボタン２７１の位置をＡ位置とＢ位置にすることで、電気的な接点位置（スイッチ切り替えモード状態）が切り替えられる。
前記リセットスイッチ２７０の接点２７２と２７３は、図４に示すようにマイコン２５２の各ポートに接続されており、切り替えモード状態検出手段２６１（リセットボタンの接点位置および機械的な位置を検出）を形成している。切り替えモード状態検出手段２６１で検出されたリセットボタン２７１の位置は、切り替えモード状態検出手段２６１を構成するマイコン２５２の不揮発性メモリ２５１（切り替えモード状態記憶手段）に記憶される。
【００３３】
切り替えモード状態検出手段２６１は、図４のようにマイコン駆動用ＩＣ２６２によって５Ｖに調整された電力がマイコン用電源Ｖｃｃに入力され、リセットスイッチ２７０の接点２７２がマイコンの入力ポートＩｎに接続され、更に入力ポートＩｎ及びＶｃｃとがプルアップ抵抗Ｒｕを介して接続され、リセットスイッチ２７０の接点２７３がマイコン２５２のＧＮＤと接続されている。またマイコンのＧＮＤは定電流電源や照明器具のＧＮＤに接地されている。なお本実施形態では力率改善回路２３４とマイコン駆動用ＩＣ２６２とを電気的に接続しているが、整流回路２３３とマイコン駆動用ＩＣ２６２とを電気的に接続してもよい。
リセットボタン２７１をスライドし、図５のＡ位置にして照明装置１０の電源を入れると、前記入力ポートＩｎの電位は５Ｖとなる。マイコン２５２によってリセットボタン２７１がＡの位置にあると検出され、不揮発性メモリ２５１にリセットボタン２７１の位置が記憶される。
リセットボタン２７１をスライドし、図５のＢ位置にして照明装置の電源を入れると、前記入力ポートＩｎの電位は０Ｖとなる。マイコン２５２によってリセットボタン２７１がＢの位置にあると検出され、不揮発性メモリ２５１にリセットボタン２７１の位置が記憶される。
【００３４】
なお、リセットボタン２７１の位置を判定する電位に幅を持たせ、例えば前記入力ポートＩｎの電位が４〜５ＶであればボタンがＡ位置にあると判定され、０〜１ＶであればＢ位置にあると判定されるようにしてもよい。
マイコン２５２には、切り替えモード状態記憶手段２５１を構成する不揮発性メモリ２５１に記憶されていたリセットボタン２７１の位置と、新たに検出されたリセットボタン２７１の位置が異なるときに（すなわちスイッチ切り替えモード状態が異なっているときに）、累積点灯時間がリセットされ零時間になる指令が発信されるプログラムが組み込まれている。
【００３５】
次に、直管形ランプ１００を交換し、累積点灯時間がリセットされるまでの動作状態について、図６のフローチャートを参照して説明する。
直管形ランプ１００の交換前、リセットボタン２７１は図５のＡ位置にあるとする。照明装置１０の電源を入れたとき、入力ポートＩＮの電位は５Ｖであり、マイコン２５２によってリセットボタン２７１がＡ位置にあると検出され、切り替えモード状態検出手段２６１を構成する不揮発性メモリ２５１に記憶されている。
電源を切って、直管形ランプ１００を取外し、リセットボタン２７１をＢ位置にスライ
ドする。
新品の直管形ランプ１００を取り付け、照明装置１０の電源を入れる。この時、入力ポートＩｎの電位は０Ｖと検知され、マイコン２５２によってリセットボタン２７１がＢ位置にあると検出される。
不揮発性メモリ２５１に記憶されているリセットボタン２７１の位置はＡ位置であるの
で、新たな検出結果であるＢ位置とは異なっている。そこで、リセットボタン２７１の位置が変化したと判定され累積点灯時間がリセットされ零時間に戻り、不揮発性メモリ２５１にはＢ位置が記憶される。
【００３６】
次回、直管形ランプ１００を交換するときには、図６のＡがＢに置き換わるだけで同様に累積積点灯時間がリセットされる。
なお図７に示すように、リセットボタン２７１を操作せずに照明装置の電源のオン、オフを行っても累積積点灯時間はリセットされない。
以上のように、本発明のリセット手段によって、リセットボタン２７１の位置を切り替えた後に、照明装置本体の電源をオンにすることで自動的に累積点灯時間がリセットされるので、利用者にとって利便性の高い初期照度補正機能付きの照明装置となっている。
【００３７】
なお本実施形態では、図４のリセット手段２６０を構成する回路を使用したが、これに限定されず、例えば図８または図９のような回路を使用してもよい。
図８のリセット手段は、リセットスイッチ２７０の接点２７２がマイコン２５２のＶｃｃ側に接続され、接点２７３がマイコン２５２の入力ポートＩｎに接続され、更に入力ポートＩＮがプルダウン抵抗Ｒｄを介してＧＮＤに接続されている。
この回路の場合はリセットボタン２７１をＡ位置にして照明装置１０の電源を入れると、前記入力ポートＩＮの電位は０Ｖとなり、Ｂの位置（スイッチＯＮの位置）にして照明装置１０の電源を入れると、前記入力ポートＩｎの電位は５Ｖとなる。図４の実施形態とは、入力ポートＩＮの電位とボタン位置の対応が逆となるだけであり、図４の実施形態のリセット手段と同様にリセットボタン２７１の位置が検出され、累積点灯時間のリセットが行われる。
【００３８】
図９のリセット手段は、リセットスイッチの接点を２７２、２７３、２７４の３個にし、接点２７２はマイコンのＶｃｃ側に接続され、接点２７３は入力ポートＩＮに接続され、接点２７４はＧＮＤ側に接続されている。
この回路の場合はリセットボタン２７１をスライドし、図１０のＣ位置にして照明装置１０の電源を入れると、前記入力ポートＩｎの電位は５Ｖとなり、リセットボタン２７１を図１０のＤ位置にして照明装置１０の電源を入れると、前記入力ポートＩｎの電位は０Ｖとなる。前述までのリセット手段と同様にリセットボタン２７１の位置が検出され、累積点灯時間のリセットが行われる。
【００３９】
累積点灯時間のリセットが行われると、直管形ランプ１００が５秒間の間、点滅を繰り返すように、マイコンから点滅指示が指令される。これによって、リセットし忘れが防止される。
【符号の説明】
【００４０】
１：ＬＥＤ素子
１０：ＬＥＤ照明装置
１００：直管形ランプ
１１０：支持基材
１２０：透光性カバー
１３０、１４０：口金
１３１、１３２、１４１、１４２：口金端子
１５０：ＬＥＤ基板
２００：照明器具
２１０、２２０：ソケット
２３０：定電流電源
２４０：点灯制御手段
２５０：初期照度補正手段
２５１：不揮発性メモリ（切り替えモード状態記憶手段）
２５２：マイコン
２６０：リセット手段
２６１：切り替えモード状態検出手段
２７０：リセットスイッチ
２７１：リセットボタン
２７２、２７３、２７４：リセットスイッチの接点
【図１】
2014160582.tif 000003
【図２】
2014160582.tif 000004
【図３】
2014160582.tif 000005
【図４】
2014160582.tif 000006
【図５】
2014160582.tif 000007
【図６】
2014160582.tif 000008
【図７】
2014160582.tif 000009
【図８】
2014160582.tif 000010
【図９】
2014160582.tif 000011
【図１０】
2014160582.tif 000012